(57)【要約】【課題】ベストエフォート型サービスにおいてデータ遅延又はデータ廃棄の発生を防止できる光伝送装置を提供することを目的とする。【解決手段】端末から送信されたデータを光信号に変換して伝送する光伝送装置であって、第１インタフェースと、第２インタフェースと、データを一時的に格納するバッファ部と、光増幅部と、を有し、第２インタフェースから送信するデータは誤り訂正符号挿入領域を含み、バッファ部に格納されたデータの容量が所定の閾値以上である場合、光増幅部に光信号の出力パワーを増加させ、対向する光伝送装置で誤り訂正処理の実行を停止させるための誤り訂正処理停止指示を、対向する光伝送装置に送信し、誤り訂正符号挿入領域にバッファ部に格納されたデータを挿入して対向する光伝送装置に送信することを特徴とする。【選択図】図６
2014212478.tif 000002
【特許請求の範囲】
【請求項１】
端末から送信されたデータを光信号に変換して伝送する光伝送装置であって、
前記端末からデータを受信する第１インタフェースと、
前記第１インタフェースが受信したデータを光信号に変換して、対向する光伝送装置に送信する第２インタフェースと、
前記第２インタフェースから送信するデータを一時的に格納するバッファ部と、
前記変換された光信号の出力パワーを可変する光増幅部と、を有し、
前記第２インタフェースから送信するデータは、前記対向する光伝送装置で実行される誤り訂正処理で用いられる誤り訂正符号が挿入される誤り訂正符号挿入領域を含み、
前記バッファ部に格納されたデータの容量が所定の閾値以上である場合において、
前記バッファ部に格納されたデータの容量が所定の閾値より小さい場合より前記光増幅部に前記光信号の出力パワーを増加させ、
前記対向する光伝送装置で前記誤り訂正処理の実行を停止させるための誤り訂正処理停止通知を、前記対向する光伝送装置に送信し、
前記誤り訂正符号挿入領域に前記バッファ部に格納されたデータを挿入して、前記第２インタフェースから前記データを前記対向する光伝送装置に送信することを特徴とする光伝送装置。
【請求項２】
請求項１に記載の光伝送装置であって、
前記バッファ部に格納されたデータの容量が前記閾値より小さくなった場合、前記対向する光伝送装置で前記誤り訂正処理を開始するための誤り訂正処理開始通知を、前記対向する光伝送装置に送信し、
前記バッファ部に格納されたデータの容量が前記閾値より小さくなった場合、前記誤り訂正符号挿入領域に前記誤り訂正符号を挿入して、前記第２インタフェースから前記データを前記対向する光伝送装置に送信し、
前記バッファ部に格納されたデータの容量が前記閾値より小さくなった場合、前記バッファ部に格納されたデータの容量が前記閾値以上である場合に前記光増幅部が増加させた光信号の出力パワーを減少させることを特徴とする光伝送装置。
【請求項３】
請求項２に記載の光伝送装置であって、
前記対向する光伝送装置が前記誤り訂正処理開始通知を受信して前記誤り訂正処理の実行を開始した後に、前記光増幅部が前記増加させた光信号の出力を減少させることを特徴とする光伝送装置。
【請求項４】
請求項１から請求項３のいずれか一つに記載の光伝送装置であって、
前記対向する光伝送装置が前記誤り訂正処理停止通知を受信して前記誤り訂正処理の実行を停止する前に、前記光増幅部に前記光信号の出力パワーを増加させることを特徴とする光伝送装置。
【請求項５】
請求項１に記載の光伝送装置であって、
前記第１インタフェースが受信したデータをＯＴＮフレームにマッピングするＯＴＮ処理部を有し、
前記ＯＴＮフレームのオーバーヘッドのリザーブ領域に前記誤り訂正処理停止通知を含めることを特徴とする光伝送装置。
【請求項６】
請求項５に記載の光伝送装置であって、
前記対向する光伝送装置が送信し、前記第２インタフェースが受信したＯＴＮフレームのオーバーヘッドのリザーブ領域を解析することによって、前記受信したＯＴＮフレームが前記誤り訂正処理停止通知を含むか否かを判定することを特徴とする光伝送装置。
【請求項７】
請求項１に記載の光伝送装置であって、
前記バッファ部に格納されたデータの容量が前記閾値以上である場合に前記誤り訂正符号挿入領域に挿入されるデータは、保守運用管理用のＯＡＭフレーム又は前記端末から送信されたユーザデータであることを特徴とする光伝送装置。
【請求項８】
請求項１に記載の光伝送装置であって、
前記第１インタフェースは、ＳＯＮＥＴ／ＳＤＨ又はイーサネットを用いて前記端末に接続され、
前記第２インタフェースは、ＭＰＬＳを用いて前記対向する光伝送装置に接続されることを特徴とする光伝送装置。
【請求項９】
端末から送信されたデータを光信号に変換して伝送する第１光伝送装置と、
前記第１光伝送装置から伝送されたデータを受信する第２光伝送装置と、を備える光伝送システムであって、
前記第１光伝送装置は、
端末からデータを受信する第１インタフェースと、
前記第１インタフェースが受信したデータを光信号に変換して、対向する光伝送装置に送信する第２インタフェースと、
前記第２インタフェースから送信するデータを一時的に格納するバッファ部と、
前記変換された光信号の出力パワーを可変する光増幅部と、を有し、
前記第２インタフェースから送信するデータは、前記第２光伝送装置で実行される誤り訂正処理で用いられる誤り訂正符号が挿入される誤り訂正符号挿入領域を含み、
前記第１光伝送装置の前記バッファ部に格納されたデータの容量が所定の閾値以上である場合において、
前記第１光伝送装置は、前記バッファ部に格納されたデータの容量が所定の閾値より小さい場合より前記光増幅部に前記光信号の出力パワーを増加させ、前記対向する光伝送装置で前記誤り訂正処理の実行を停止させるための誤り訂正処理停止通知を、前記第２光伝送装置に送信し、
前記第２光伝送装置は、前記誤り訂正処理停止通知を受信した場合、前記誤り訂正処理の実行を停止し、
前記第１光伝送装置は、前記誤り訂正符号挿入領域に前記バッファ部に格納されたデータを挿入して、前記第２インタフェースから前記データを前記第２光伝送装置に送信することを特徴とする光伝送システム。
【請求項１０】
請求項９に記載の光伝送システムであって、
前記第１光伝送装置は、前記バッファ部に格納されたデータの容量が前記閾値より小さくなった場合、前記第２光伝送装置で前記誤り訂正処理を開始するための誤り訂正処理開始通知を、前記第２光伝送装置に送信し、
前記第２光伝送装置は、前記誤り訂正処理開始通知を受信した場合、停止していた前記誤り訂正処理の実行を開始し、
前記第１光伝送装置は、前記バッファ部に格納されたデータの容量が前記閾値より小さくなった場合、前記誤り訂正符号挿入領域に前記誤り訂正符号を挿入して、前記第２インタフェースから前記データを前記第２光伝送装置に送信し、
前記第１光伝送装置は、前記バッファ部に格納されたデータの容量が前記閾値より小さくなった場合、前記バッファ部に格納されたデータの容量が前記閾値以上である場合に前記光増幅部が増加させた光信号の出力パワーを減少させることを特徴とする光伝送システム。
【請求項１１】
請求項１０に記載の光伝送システムであって、
前記第２光伝送装置が前記誤り訂正処理開始通知を受信して前記誤り訂正処理の実行を開始した後に、前記第１光伝送装置は、前記光増幅部が増加させた光信号の出力を減少させることを特徴とする光伝送システム。
【請求項１２】
請求項９から請求項１１のいずれか一つに記載の光伝送システムであって、
前記第２光伝送装置が前記誤り訂正処理停止通知を受信して前記誤り訂正処理の実行を停止する前に、前記光増幅部に前記光信号の出力パワーを増加させることを特徴とする光伝送システム。
【請求項１３】
請求項９に記載の光伝送システムであって、
前記第１光伝送装置は、
前記第１インタフェースが受信したデータをＯＴＮフレームにマッピングするＯＴＮ処理部を有し、
前記ＯＴＮフレームのオーバーヘッドのリザーブ領域に前記誤り訂正処理停止通知を含めることを特徴とする光伝送システム。
【請求項１４】
請求項１３に記載の光伝送システムであって、
前記第２光伝送装置は、前記第１光伝送装置から送信されたＯＴＮフレームのオーバーヘッドのリザーブ領域を解析することによって、前記受信したＯＴＮフレームが前記誤り訂正処理停止通知を含むか否かを判定することを特徴とする光伝送システム。
【請求項１５】
請求項９に記載の光伝送システムであって、
前記バッファ部に格納されたデータの容量が前記閾値以上である場合に前記第１光伝送装置によって前記誤り訂正符号挿入領域に挿入されるデータは、保守運用管理用のＯＡＭフレーム又は前記端末から送信されたユーザデータであることを特徴とする光伝送システム。
【請求項１６】
請求項９に記載の光伝送システムであって、
前記第１光伝送装置の前記第１インタフェースは、ＳＯＮＥＴ／ＳＤＨ又はイーサネットを用いて前記端末に接続され、
前記第１光伝送装置の前記第２インタフェースは、ＭＰＬＳを用いて前記第２光伝送装置に接続されることを特徴とする光伝送システム。
【請求項１７】
端末から送信されたデータを光信号に変換して伝送する光伝送装置における前記データの伝送方法であって、
前記光伝送装置は、
前記端末からデータを受信する第１インタフェースと、
前記第１インタフェースが受信したデータを光信号に変換して、対向する光伝送装置に送信する第２インタフェースと、
前記第２インタフェースから送信するデータを一時的に格納するバッファ部と、
前記変換された光信号の出力パワーを可変する光増幅部と、を有し、
前記第２インタフェースから送信するデータは、前記対向する光伝送装置で実行される誤り訂正処理で用いられる誤り訂正符号が挿入される誤り訂正符号挿入領域を含み、
前記方法は、
前記バッファ部に格納されたデータの容量が所定の閾値以上である場合において、
前記光伝送装置が、前記バッファ部に格納されたデータの容量が所定の閾値より小さい場合より前記光増幅部に前記光信号の出力パワーを増加させ、
前記光伝送装置が、前記バッファ部に格納されたデータの容量が前記閾値以上である場合、前記対向する光伝送装置で前記誤り訂正処理の実行を停止させるための誤り訂正処理停止通知を、前記対向する光伝送装置に送信し、
前記光伝送装置が、前記バッファ部に格納されたデータの容量が前記閾値以上である場合、前記誤り訂正符号挿入領域に前記バッファ部に格納されたデータを挿入して、前記第２インタフェースから前記データを前記対向する光伝送装置に送信することを特徴とする伝送方法。
【発明の詳細な説明】
【技術分野】
【０００１】
本発明は、データを光信号に変換して、対向する光伝送装置に伝送する光伝送装置に関する。
【背景技術】
【０００２】
現在、通信キャリアのネットワーク網では、異なるネットワーク網が混在している。具体的には、固定電話及び専用線サービス等のレガシー系サービスを中心に提供するためのＳＯＮＥＴ／ＳＤＨ（Ｓｙｎｃｈｒｏｎｏｕｓ Ｏｐｔｉｃａｌ ＮＥＴｗｏｒｋ／Ｓｙｎｃｈｒｏｎｏｕｓ Ｄｉｇｉｔａｌ Ｈｉｅｒａｒｃｈｙ）網と、インターネット及びイーサネット（登録商標、以下略）の専用線等のＩＰ（Ｉｎｔｅｒｎｅｔ Ｐｒｏｔｏｃｏｌ）系サービスを提供するためのＩＰ網とが混在している。ＳＯＮＥＴ／ＳＤＨ網及びＩＰ網はそれぞれ独立しており、個別の保守運用管理が必要となる。レガシー系サービス及びＩＰ系サービスを同一網上で効率的に収容することによって、保守運用管理を効率化する要求がある。
【０００３】
このような要求に応えるための技術として、近年、通信サービスのトラフィックの主流であるパケットベースで通信するパケットトランスポート技術が効率性及び価格等の面から注目されている。
【０００４】
パケットトランスポート技術としては、例えば、ＩＥＴＦ（Ｉｎｔｅｒｎｅｔ  Ｅｎｇｉｎｅｅｒｉｎｇ  Ｔａｓｋ  Ｆｏｒｃｅ）  ＲＦＣ５６５４及びＲＦＣ５８６０等で、ＭＰＬＳ−ＴＰ（Ｍｕｌｔｉ  Ｐｒｏｔｏｃｏｌ  Ｌａｂｅｌ  Ｓｗｉｔｃｈｉｎｇ−Ｔｒａｎｓｐｏｒｔ  Ｐｒｏｆｉｌｅ）が検討されている。ここで、ＭＰＬＳ−ＴＰは、マルチプロトコルに対応し、複数のネットワークレイヤを扱うことができる技術である。ＭＰＬＳ−ＴＰは、ラベルという短い宛先情報をパケットに付加して高速に転送する技術で、通常のルーティングのようにＩＰアドレスを参照せず、ラベルを参照してパケットを転送するため、パケットの高速な転送が可能となる。
【０００５】
ＭＰＬＳ−ＴＰ技術では、転送されるラベルが付与されたパケットのルートを一本のパスのように扱うことができる。ＭＰＬＳ−ＴＰ技術を採用したネットワークでは、ネットワーク制御装置が、ネットワークを構成する各ノードのラベルテーブルを制御することによって、ＩＰネットワークに明示的なルートを提供でき、特定のルートにパケットが集約することを防止できる。これによって、ＭＰＬＳ−ＴＰ技術を採用したネットワークは、ノード間のリンクの使用効率を向上させることができる。
【０００６】
また、ＭＰＬＳ−ＴＰ技術では、ネットワークの信頼性及び耐障害性を従来のレガシー系サービスと同じレベルにまで高めるために、ＩＴＵ−Ｔ  Ｙ．１７１０、Ｙ．１７１１で、ＯＡＭ（Ｏｐｅｒａｔｉｏｎ  Ａｄｍｉｎｉｓｔｒａｔｉｏｎ ａｎｄ  Ｍａｉｎｔｅｎａｎｃｅ）機能と呼ばれる保守管理機能が標準化されている。このＯＡＭ機能により、ＭＰＬＳ−ＴＰ技術を採用したネットワークは、通信キャリアが要求する保守運用性を有することが可能となる。
【０００７】
パケットトランスポート技術を採用するネットワークを構成する伝送装置のクライアント側インタフェースは、イーサネット又はＳＯＮＥＴ／ＳＤＨ等の様々な信号種別に対応し、ライン側インタフェースは、ＩＴＵ（Ｉｎｔｅｒｎａｔｉｏｎａｌ Ｔｅｌｅｃｏｍｍｕｎｉｃａｔｉｏｎ Ｕｎｉｏｎ）が勧告しているＯＴＮ（Ｏｐｔｉｃａｌ Ｔｒａｎｓｐｏｒｔ Ｎｅｔｗｏｒｋ）規格に対応している。
【０００８】
ＯＴＮ規格では、制御情報としてのオーバーヘッドバイトがクライアント信号に付加されたＯＴＮフレームが伝送される。ＯＴＮフレームは、クライアント信号が収容されるペイロードに加え、ＯＰＵ（Ｏｐｔｉｃａｌ ｃｈａｎｎｅｌ Ｐａｙｌｏａｄ Ｕｎｉｔ）オーバーヘッド、及びＯＤＵ（Ｏｐｔｉｃａｌ ｃｈａｎｎｅｌ Ｄａｔａ Ｕｎｉｔ）オーバーヘッドを含む。オーバーヘッドバイトは、伝送品質及びクライアント信号の状態等を光伝送装置間で通知するために使用される。また、ＯＴＮ規格では、伝送レートが異なる複数種類のクライアント信号を収容できるように、複数種類のＯＴＮフレームが定義されている。例えば、ＯＴＵ（Ｏｐｔｉｃａｌ ｃｈａｎｎｅｌ Ｔｒａｎｓｐｏｒｔ Ｕｎｉｔ）１というフレームは、約２．５Ｇｂｐｓまでの伝送レートのクライアント信号を収容でき、ＯＴＵ３というフレームは、約４０Ｇｂｐｓまでの伝送レートのクライアント信号を収容でき、ＯＴＵ４というフレームは、約１００Ｇｂｐｓまでの伝送レートのクライアント信号を収容できる。
【０００９】
さらに、ＯＴＮフレームは、ネットワークの長距離化に対応するため、ＦＥＣ領域を含む。ここで、ＦＥＣ処理とは、送信すべきデータに対し、送信側でデータ訂正に必要な誤り訂正符号をＦＥＣ領域に挿入し、受信側で誤り訂正符号に基づいて受信データの誤りを検出し、誤りが検出された場合にデータを訂正する処理である。一般に、伝搬距離が長くなるにつれ伝送路の伝搬損失等の影響によって伝搬中のデータ誤りが発生しやすくなるので、ＦＥＣ機能と呼ばれるエラー訂正機能が有効となる。このエラー訂正機能によって、データ誤りが発生しても、送信側がデータを再送信することなく、受信側がデータを訂正できるので、データの再送信を防止し、高速化が可能となる。現在汎用的に使用されているＦＥＣは数種類存在し、ＩＴＵ−Ｔ（Ｉｎｔｅｒｎａｔｉｏｎａｌ Ｔｅｌｅｃｏｍｍｕｎｉｃａｔｉｏｎ ＵｎｉｏｎＴｅｌｅｃｏｍｍｕｎｉｃａｔｉｏｎ Ｓｔａｎｄａｒｄｉｚａｔｉｏｎ Ｓｅｃｔｏｒ） Ｇ．７０９で標準化されるＲＳ[２５５,２３９]符号（Ｒｅｅｄ−Ｓｏｌｏｍｏｎ）を用いたＧＦＥＣ（Ｇｅｎｅｒｉｃ ＦＥＣ）、及びＩＴＵ−Ｔ Ｇ．９７５．１で標準化されるＥＦＥＣ（Ｅｎｈａｎｃｅｄ ＦＥＣ）が代表的である（例えば、非特許文献１、２参照）。ＥＦＥＣの中には、ＢＣＨ[３８６０,３８２４]符号及びＲＳ[１０２３,１００７]符号等の様々な誤り訂正符号を用いることで、複数種類のＦＥＣを実現できる。
【００１０】
ＥＦＥＣは、従来のＧＦＥＣよりエラー訂正能力に優れており、伝送容量の増大に伴って増加するビット誤り率を低減できる。従来のＧＦＥＣでは、ビット誤り率１０−５程度までエラー訂正が可能であるのに対して、ＥＦＥＣでは、連設符号化により、ビット誤り率１０−３程度までエラー訂正が可能である。ここで、ビット誤り率とは、伝送中のデータにおいて１０万ビットのデータあたりに発生する誤りのビット数をパーセントで表したものである。ＧＦＥＣ及びＥＦＥＣでの訂正可能範囲における訂正後のビット誤り率は、一般的にファイバチャネル等の高速信号で要求される１０−１２以下となる。
【００１１】
現在、通信事業者が提供するサービスには、帯域保証型サービス及びベストエフォート型サービスがある。帯域保証型サービスは、専用線接続サービスに用いられ、通信速度及びサービスの品質が保証されているサービスである。一方、ベストエフォート型サービスは、現在主流となっているサービスであり、安価であるが通信速度及びサービスの品質が保証されないサービスである。ベストエフォート型サービスでは、ネットワークが混雑している場合、データ遅延又はデータ廃棄が発生する可能性がある。
【先行技術文献】
【非特許文献】
【００１２】
【非特許文献１】ＩＴＵ−Ｔ Ｒｅｃｏｍｅｎｄａｔｉｏｎ Ｇ．７０９、２０１２年２月
【非特許文献２】ＩＴＵ−Ｔ Ｒｅｃｏｍｅｎｄａｔｉｏｎ Ｇ．９７５．１、２００４年２月
【発明の概要】
【発明が解決しようとする課題】
【００１３】
現在主流となっているベストエフォート型サービスでは、ネットワークの利用状況によって、データ遅延又はデータ廃棄が発生する可能性がある。近年、スマートフォンの普及等によって、データトラフィックは爆発的に増加しており、ベストエフォート型サービスでのデータ遅延又はデータ廃棄の発生が顕著になっている。
【００１４】
本発明は、上記の点を鑑みなされたもので、ベストエフォート型サービスにおいてデータ遅延又はデータ廃棄の発生を防止できる光伝送装置を提供することを目的とする。
【課題を解決するための手段】
【００１５】
本発明の代表的な一例を示せば、端末から送信されたデータを光信号に変換して伝送する光伝送装置であって、前記端末からデータを受信する第１インタフェースと、前記第１インタフェースが受信したデータを光信号に変換して、対向する光伝送装置に送信する第２インタフェースと、前記第２インタフェースから送信するデータを一時的に格納するバッファ部と、前記変換された光信号の出力パワーを可変する光増幅部と、を有し、前記第２インタフェースから送信するデータは、前記対向する光伝送装置で実行される誤り訂正処理で用いられる誤り訂正符号が挿入される誤り訂正符号挿入領域を含み、前記バッファ部に格納されたデータの容量が所定の閾値以上である場合において、前記バッファ部に格納されたデータの容量が所定の閾値より小さい場合より前記光増幅部に前記光信号の出力パワーを増加させ、前記対向する光伝送装置で前記誤り訂正処理の実行を停止させるための誤り訂正処理停止通知を、前記対向する光伝送装置に送信し、前記誤り訂正符号挿入領域に前記バッファ部に格納されたデータを挿入して、前記第２インタフェースから前記データを前記対向する光伝送装置に送信することを特徴とする。
【発明の効果】
【００１６】
本願において開示される発明のうち代表的なものによって得られる効果を簡潔に説明すれば、下記の通りである。すなわち、ベストエフォート型サービスにおいてデータ遅延又はデータ廃棄の発生を防止できる光伝送装置を提供できる。
【００１７】
上記した以外の課題、構成、及び効果は、以下の実施形態の説明により明らかにされる。
【図面の簡単な説明】
【００１８】
【図１】本発明の実施例の光伝送システムのネットワーク構成図である。
【図２】本発明の実施例の光伝送装置の構成の説明図である。
【図３】本発明の実施例のライン側インタフェースカードの構成の説明図である。
【図４】本発明の実施例のＯＴＮ処理部の構成の説明図である。
【図５】本発明の実施例の送信側のライン側インタフェースカードから受信側のライン側インタフェースカードに信号が送信される場合の処理の説明図である。
【図６】本発明の実施例の送信側のライン側インタフェースカードのバッファ部に格納された信号の容量が閾値以上になった場合の光伝送システムにおける処理のシーケンス図である。
【図７】本発明の実施例の送信側のライン側インタフェースカードのバッファ部に格納された信号の容量が閾値以上になった場合の送信側のライン側インタフェースカードの処理のフローチャートである。
【図８】本発明の実施例の受信側のライン側インタフェースカードがＦＥＣ処理を実行している間にＯＴＮ信号を受信した場合の処理のフローチャートである。
【図９】本発明の実施例のＯＴＮフレームのフレーム構成の説明図である。
【図１０】本発明の送信側のライン側インタフェースカードのバッファ部に格納された信号の容量が閾値未満となった場合の光伝送システムにおける処理のシーケンス図である。
【図１１】本発明の実施例の送信側のライン側インタフェースカードのバッファ部に格納された信号の容量が閾値未満になった場合の送信側のライン側インタフェースの処理のフローチャートである。
【図１２】本発明の実施例の受信側のライン側インタフェースカードがＦＥＣ処理の実行を停止している間にＯＴＮ信号を受信した場合の処理のフローチャートである。
【発明を実施するための形態】
【００１９】
以下、本発明の実施例について、図１〜図１２を参照しながら詳細に説明する。なお、実質的に同一な箇所には同じ符号を付与し、説明を繰り返さないこととする。
【００２０】
図１は、本発明の実施例の光伝送システムのネットワーク構成図である。
【００２１】
光伝送システムは、ユーザ装置（端末）１００Ａ〜１００Ｄ、及び光伝送装置２００Ａ〜２００Ｄを有する。ユーザ装置１００Ａ〜１００Ｄを総称する場合には、ユーザ装置１００と記載し、光伝送装置２００Ａ〜２００Ｄを総称する場合には、光伝送装置２００と記載する。ユーザ装置１００は、光伝送装置２００に接続され、ＳＯＮＥＴ／ＳＤＨ信号及びイーサネット信号等のクライアント信号を光伝送装置２００に送信する。
【００２２】
光伝送装置２００Ａと光伝送装置２００Ｂとは伝送路（光ファイバ）３００Ａを介して相互に接続され、光伝送装置２００Ａと光伝送装置２００Ｃとは伝送路３００Ｂを介して相互に接続され、光伝送装置２００Ｂと光伝送装置２００Ｄとは伝送路３００Ｃを介して相互に接続され、光伝送装置２００Ｃと光伝送装置２００Ｄとは伝送路３００Ｄを介して相互に接続されることによって、リング状のネットワーク１０００が構成される。なお、伝送路３００Ａ〜３００Ｄを総称する場合には、伝送路３００と記載する。
【００２３】
光伝送装置２００は、ユーザ装置１００から送信されたクライアント信号をＭＰＬＳ信号にカプセル化し、ＯＴＮ信号に変換した後、さらに光信号に変換して対向する光伝送装置２００に送信する。光伝送装置２００間で送受信される信号をＯＴＮ信号という。光伝送装置２００は、ＯＴＮ信号を受信した場合、受信したＯＴＮ信号をＭＰＬＳ信号に変換し、さらにＭＰＬＳ信号をＳＯＮＥＴ／ＳＤＨ信号又はイーサネット信号等のクライアント信号にデカプセル化し、ユーザ装置１００に送信する。
【００２４】
なお、ユーザ装置１００及び光伝送装置２００の数は図１に限定されず、光伝送装置２００間の接続もリング型に限定されない。
【００２５】
図２は、本発明の実施例の光伝送装置２００の構成の説明図である。
【００２６】
光伝送装置２００は、クライアント側インタフェースカード（第１インタフェース）２１０Ａ〜２１０Ｃ、スイッチカード２２０、及びライン側インタフェースカード（第２インタフェース）２３０Ａ〜２３０Ｃを有する。クライアント側インタフェースカード２１０Ａ〜２１０Ｃを総称する場合には、クライアント側インタフェースカード２１０と記載し、ライン側インタフェースカード２３０Ａ〜２３０Ｃを総称する場合には、ライン側インタフェースカード２３０と記載する。
【００２７】
クライアント側インタフェースカード２１０は、イーサネット又はＳＯＮＥＴ／ＳＤＨを用いてユーザ装置１００に接続されるインタフェースである。ライン側インタフェースカード２３０は、ＭＰＬＳを用いて対向する光伝送装置２００Ｂに接続されるインタフェースとして機能する。スイッチカード２２０は、クライアント側インタフェースカード２１０がクライアント信号を受信した場合、受信したクライアント信号の転送先となるライン側インタフェースカード２３０を決定し、ライン側インタフェースカード２３０がＯＴＮ信号を受信した場合、受信したＯＴＮ信号の転送先となるクライアント側インタフェースカード２１０を決定する。換言すれば、スイッチカード２２０は、光伝送装置２００内において信号経路の切替えを制御する。
【００２８】
クライアント側インタフェースカード２１０がユーザ装置１００からクライアント信号を受信した場合の処理について説明する。クライアント側インタフェースカード２１０は、受信したクライアント信号を多重化してスイッチカード２２０に出力する。スイッチカード２２０は、クライアント側インタフェースカード２１０から出力された信号の転送先となるライン側インタフェースカード２３０を決定し、決定したライン側インタフェースカード２３０に信号を出力する。ライン側インタフェースカード２３０は、スイッチカード２２０から出力された信号をＭＰＬＳ信号にカプセル化し、ＯＴＮ信号に変換した後、光信号に変換して、対向する光伝送装置２００に出力する。換言すれば、ライン側インタフェースカード２３０は、多重化された高速信号であるＭＰＬＳ信号をＯＴＮ信号に変換して、対向する光伝送装置２００まで長距離伝送する。
【００２９】
図３は、本発明の実施例のライン側インタフェースカード２３０の構成の説明図である。
【００３０】
ライン側インタフェースカード２３０は、スイッチインタフェース部２３１、ＭＰＬＳ処理部２３２、ＯＴＮ処理部２３５、光モジュール２３６、光増幅部２３７、及び制御部２３８を有する。
【００３１】
スイッチインタフェース部２３１は、スイッチカード２２０に接続されるインタフェースである。ＭＰＬＳ処理部２３２は、送受信するＭＰＬＳ信号を監視し、保守運用管理のためのＯＡＭフレームを信号に挿入し、ＯＡＭフレームを終端する。具体的には、ＭＰＬＳ処理部２３２は、送信部２３３及び受信部２３４を有する。送信部２３３は、対向する光伝送装置２００に送信する信号をＭＰＬＳ信号にカプセル化する。受信部２３４は、対向する光伝送装置２００から受信したＭＰＬＳ信号をデカプセル化する。
【００３２】
ＯＴＮ処理部２３５は、対向する光伝送装置２００に送信するＭＰＬＳ信号をＯＴＮ信号にマッピングし、対向する光伝送装置２００から受信したＯＴＮ信号をデマッピングする。また、ＯＴＮ処理部２３５は、対向する光伝送装置２００から受信したＯＴＮ信号のオーバーヘッド処理を実行する。また、ＯＴＮ処理部２３５は、対向する光伝送装置２００に送信するＯＴＮ信号のＦＥＣ領域に誤り訂正符号（エラー訂正ビットともいう）を挿入する。さらに、ＯＴＮ処理部２３５は、対向する光伝送装置２００から受信したＯＴＮ信号のＦＥＣ領域に挿入された誤り訂正符号を利用し、ＯＴＮ信号にエラーがあるかを検出し、エラーが検出された場合にはＯＴＮ信号を訂正するＦＥＣ処理を実行する。
【００３３】
光モジュール２３６は、光信号から電気信号に、又は電気信号から光信号に変換する変換処理を実行する。具体的には、光モジュール２３６は、対向する光伝送装置２００に送信する電気信号のＯＴＮ信号を光信号に変換し、対向する光伝送装置２００から受信した光信号のＯＴＮ信号を電気信号に変換する。
【００３４】
光増幅部２３７は、対向する光伝送装置２００に送信する光信号の出力パワーを可変する。光増幅部２３７は、例えば、ＥＤＦＡ（Ｅｒｂｉｕｍ Ｄｏｐｅｄ Ｆｉｂｅｒ Ａｍｐｌｉｆｉｅｒ）等である。
【００３５】
制御部２３８は、スイッチインタフェース部２３１、ＭＰＬＳ処理部２３２、ＯＴＮ処理部２３５、光モジュール２３６、及び光増幅部２３７に各種指示を出力し、これらから各種情報が入力さて、これらを制御する。制御部２３８は、ライン側インタフェースカード２３０に必ずしも搭載されなくてもよく、光伝送装置２００に搭載されていればよい。
【００３６】
図４は、本発明の実施例のＯＴＮ処理部２３５の構成の説明図である。
【００３７】
ＯＴＮ処理部２３５は、バッファ部２４１、バッファ部監視制御部２４２、主信号処理部２４３、オーバーヘッド処理部２４４、及びＦＥＣ処理部２４５を有する。
【００３８】
バッファ部２４１は、ライン側インタフェースカード２３０が出力する信号を一時的に格納する記憶領域である。バッファ部監視制御部２４２は、バッファ部２４１に格納されている信号の容量を監視し、当該容量が予め設定された閾値より大きい場合、その旨を制御部２３８に通知する。
【００３９】
主信号処理部２４３は、ＭＰＬＳ信号をＯＴＮ信号にマッピングし、ＯＴＮ信号をＭＰＬＳ信号にデマッピングする。オーバーヘッド処理部２４４は、対向する光伝送装置２００から受信したＯＴＮフレームのオーバーヘッドを解析する。ＦＥＣ処理部２４５は、対向する光伝送装置２００に送信するＯＴＮ信号のＦＥＣ領域に誤り訂正符号を挿入する。また、ＦＥＣ処理部２４５は、対向する光伝送装置２００から受信したＯＴＮ信号のＦＥＣ領域に挿入された誤り訂正符号を参照し、当該ＯＴＮ信号にエラーがあるか否かを検出し、エラーが検出された場合には、当該ＯＴＮ信号を訂正する。
【００４０】
図５は、本発明の実施例のライン側インタフェースカード２３０Ａからライン側インタフェースカード２３０Ｂに信号が送信される場合の処理の説明図である。
【００４１】
二つのライン側インタフェースカード２３０Ａ及び２３０Ｂは、伝送路３００を介して接続される。
【００４２】
ライン側インタフェースカード２３０Ａが有するスイッチインタフェース部２３１にスイッチカード２２０から信号が入力されると、当該スイッチインタフェース部２３１は、入力された信号をＭＰＬＳ処理部２３２Ａの送信部２３４Ａに出力する。
【００４３】
ＭＰＬＳ処理部２３２Ａの送信部２３４Ａにスイッチインタフェース部２３１から信号が入力されると、当該送信部２３４Ａは、入力された信号をＭＰＬＳ信号にカプセル化し、ＯＴＮ処理部２３５Ａに出力する。
【００４４】
ＯＴＮ処理部２３５ＡにＭＰＬＳ処理部２３２Ａから信号が入力されると、ＯＴＮ処理部２３５Ａは、入力された信号をＯＴＮ信号にマッピングし、ＯＴＮ信号のＦＥＣ領域に誤り訂正符号を挿入する。そして、ＯＴＮ処理部２３５Ａは、当該ＯＴＮ信号を光モジュール２３６Ａに出力する。
【００４５】
光モジュール２３６ＡにＯＴＮ処理部２３５ＡからＯＴＮ信号が入力されると、光モジュール２３６Ａは、入力されたＯＴＮ信号を光信号に変換して、光増幅部２３７Ａに出力する。
【００４６】
光増幅部２３７Ａに光モジュール２３６Ａから光信号が入力されると、光増幅部２３７Ａは、入力された光信号の出力パワーを増加（増幅）して、伝送路３００に出力する。
【００４７】
ライン側インタフェースカード２３０Ｂの光モジュール２３６Ｂに光信号が入力されると、光モジュール２３６Ｂは、入力された光信号のＯＴＮ信号を電気信号に変換し、ＯＴＮ処理部２３５Ｂに出力する。
【００４８】
ＯＴＮ処理部２３５Ｂは、入力された電気信号のＯＴＮ信号のオーバーヘッドを解析し、ＯＴＮ信号のＦＥＣ領域に挿入された誤り訂正符号を利用して、入力されたＯＴＮ信号にエラーがあるか否かを検出し、エラーがある場合には、誤り訂正符号を利用して当該ＯＴＮ信号を訂正する。また、ＯＴＮ処理部２３５Ｂは、入力されたＯＴＮ信号をデマッピングしＭＰＬＳ信号に変換する。そして、ＯＴＮ処理部２３５Ｂは、変換したＭＰＬＳ信号をＭＰＬＳ処理部２３２Ｂの受信部２３４Ｂに出力する。
【００４９】
受信部２３４ＢにＭＰＬＳ信号が入力されると、受信部２３４Ｂは、入力されたＭＰＬＳ信号をデカプセル化して、クライアント信号に変換し、スイッチインタフェース部２３１Ｂに出力する。
【００５０】
スイッチインタフェース部２３１Ｂにクライアント信号が入力されると、スイッチインタフェース部２３１Ｂは、入力されたクライアント信号をスイッチカード２２０に出力する。
【００５１】
図６は、本発明の実施例の送信側のライン側インタフェースカード２３０Ａのバッファ部２４１に格納された信号の容量が閾値以上になった場合の光伝送システムにおける処理のシーケンス図である。
【００５２】
送信側のＯＴＮ処理部２３５Ａが有するバッファ部監視制御部２４２は、ＯＴＮ処理部２３５Ａのバッファ部２４１に格納された信号の容量が予め設定された閾値以上であるか否かを判定する。そして、バッファ部監視制御部２４２は、バッファ部２４１に格納された信号の容量が閾値以上であると判定した場合（６０１）、その旨を示す閾値超過通知を制御部２３８に出力する（６０２）。例えば、閾値は、伝送路３００に伝送可能な最大容量の９０％に設定される。
【００５３】
制御部２３８Ａにバッファ部監視制御部２４２から閾値超過通知が入力された場合、制御部２３８Ａは、光増幅部２３７Ａの光信号の出力パワーを増幅させる指示である出力パワー増幅指示を光増幅部２３７Ａに出力する（６０３）。
【００５４】
光増幅部２３７Ａに制御部２３８Ａから出力パワー増幅指示が入力された場合、光増幅部２３７Ａは、伝送路３００に出力する光信号の出力パワーを通常時より増幅する（６０４）。そして、光増幅部２３７Ａは、光信号の出力パワーの値を含む出力パワー情報を制御部２３８Ａに出力する（６０５）。光増幅部２３７Ａは、出力パワー情報を制御部２３８Ａからの図示しない出力パワー情報取得要求が入力された場合に出力してもよいし、所定時間毎に出力パワー情報を制御部２３８Ａに出力してもよい。
【００５５】
制御部２３８Ａに光増幅部２３７Ａから出力パワー情報が入力された場合、制御部２３８Ａは、入力された出力パワー情報に含まれる光信号の出力パワーの値が適正な値であるか否かを判定する。制御部２３８Ａは、光信号の出力パワーの値が適正な値であると判定した場合、ＦＥＣ処理停止通知（誤り訂正処理停止通知）を受信側のライン側インタフェースカード２３０Ｂに送信する指示であるＦＥＣ処理停止通知指示をＯＴＮ処理部２３５Ａに出力する（６０６）。なお、ＦＥＣ処理停止通知は、受信側のライン側インタフェースカード２３０ＢにＦＥＣ処理を停止させる通知である。また、受信側のライン側インタフェースカード２３０ＢのＦＥＣ処理は、ＯＴＮフレームのＦＥＣ領域に挿入された誤り訂正符号を用いて、ＯＴＮフレームの誤りを訂正する処理である。
【００５６】
一方、制御部２３８は、光信号の出力パワーの値が適正な値でないと判定された場合、再度、出力パワー増幅指示を光増幅部２３７Ａに出力する。光指示の出力パワーが増幅されずに受信側のライン側インタフェースカード２３０ＢでＦＥＣ処理が停止されると、信号が劣化しまう。この信号の劣化を防止するため、光信号の出力パワーの値が適正な値であると判定されるまで、制御部２３８Ａは、ＦＥＣ処理停止通知指示をＯＴＮ処理部２３５Ａに出力しない。
【００５７】
ここで、本実施例では、送信側のライン側インタフェースカード２３０Ａから受信側のライン側インタフェースカード２３０ＢにＦＥＣ処理停止通知を送信する場合、ＯＴＮフレームのオーバーヘッド領域にＦＥＣ処理停止通知である旨を挿入する。このため、ＯＴＮ処理部２３５Ａに制御部２３８ＡからＦＥＣ処理停止通知指示が入力されると、ＯＴＮ処理部２３５Ａは、ＭＰＬＳ信号をＯＴＮ信号にマッピングするときに、ＯＴＮフレームのオーバーヘッド領域にＦＥＣ処理停止通知を挿入するように、ＯＴＮフレームのオーバーヘッド領域を編集する（６０７）。なお、ＯＴＮフレームの構成については、図９で詳細を説明する。
【００５８】
そして、ＯＴＮ処理部２３５Ａは、ＦＥＣ処理停止通知をオーバーヘッド領域に挿入したＯＴＮフレームのＯＴＮ信号を受信側のライン側インタフェースカード２３０Ｂに送信する（６０８）。
【００５９】
受信側のライン側インタフェースカード２３０Ｂがステップ６０８の処理で送信されたＯＴＮ信号を受信した場合、受信側のライン側インタフェースカード２３０ＢのＯＴＮ処理部２３５Ｂは、受信したＯＴＮ信号のＯＴＮフレームのオーバーヘッド領域を解析し（６０９）、解析結果に基づいてＦＥＣ処理を停止するか否かを判定する。ここでは、ＯＴＮフレームのオーバーヘッド領域にＦＥＣ処理停止通知が含まれているので、ＯＴＮ処理部２３５Ｂは、ＦＥＣ処理を停止すると判定し、ＦＥＣ処理を停止する（６１０）。
【００６０】
そして、ＯＴＮ処理部２３５Ｂは、ＦＥＣ処理を停止した後、ＦＥＣ処理停止通知に対するＡＣＫ信号をライン側インタフェースカード２３０Ａに送信する（６１１）。
【００６１】
送信側のライン側インタフェースカード２３０Ａがステップ６１１の処理で送信されたＡＣＫ信号を受信した場合、送信側のライン側インタフェースカード２３０ＡのＯＴＮ処理部２３５Ａは、ＦＥＣ処理を停止する（６１２）。具体的には、ＯＴＮ処理部２３５Ａは、ＯＴＮフレームのＦＥＣ領域への誤り訂正符号の挿入を停止する。
【００６２】
そして、ＯＴＮ処理部２３５Ａは、ＦＥＣ処理が停止されることによって未使用となったＯＴＮフレームのＦＥＣ領域にバッファ部２４１に格納されたデータの挿入を開始する（６１３）。
【００６３】
受信側のライン側インタフェースカード２３０Ｂでは、ＦＥＣ処理が実行されないので、ＦＥＣ領域に挿入されているデータも正常に伝送される。
【００６４】
以上によって、送信側のライン側インタフェースカード２３０Ａのバッファ部２４１に格納された信号の容量が閾値以上となった場合、受信側のライン側インタフェースカード２３０ＢでのＦＥＣ処理の停止を指示し、ＯＴＮフレームの使用されないＦＥＣ領域にバッファ部２４１に格納されたデータを挿入する。このままでは、受信側のライン側インタフェースカード２３０ＢでＦＥＣ処理が実行されないため、伝送品質が低下するが、送信側のライン側インタフェースカード２３０Ａの光増幅部２３７の光信号の出力パワーを増幅するので、信号の誤り率の低下を防止できる。このため、伝送品質を低下させずに伝送可能容量を拡大することができる。
【００６５】
なお、光増幅部２３７としてＧＦＥＣを使用する場合、光増幅部２３７の光信号の出力パワーの利得調整量は、約５．５ｄＢ程度が適当である。
【００６６】
本実施例では、ステップ６１１の処理で、受信側のライン側インタフェースカード２３０ＢがＦＥＣ処理停止通知に対するＡＣＫ信号を送信するとしたが、ＡＣＫ信号を送信しなくてもよい。この場合、送信側のＯＴＮ処理部２３５Ａは、ステップ６０８の処理でＦＥＣ処理停止通知を受信側のライン側インタフェースカード２３０Ｂに送信した直後に、ステップ６１２の処理でＦＥＣ処理の実行を停止する。
【００６７】
なお、受信側のライン側インタフェースカード２３０ＢがＦＥＣ処理停止通知に対するＡＣＫ信号を送信したほうが、送信側のライン側インタフェースカード２３０Ａは、受信側のライン側インタフェースカード２３０ＢでＦＥＣ処理が停止したことを確認した後に、ＦＥＣ領域にバッファ部２４１に格納されたデータを挿入できる。このため、受信側インタフェースカード２３０ＢがＦＥＣ処理を停止していないにもかかわらず、送信側のインタフェースカード２３０ＡがＦＥＣ領域にバッファ部２４１に格納されたデータを挿入することに起因するエラーが発生し、送信側のライン側インタフェースカード２３０Ａがデータの再送等が発生することを防止することができる。
【００６８】
また、光増幅部２３７Ａが光信号の出力パワーを増幅する処理は、受信側のＯＴＮ処理部２３５ＢがＦＥＣ処理を停止する前に実行することが望ましい。受信側のＯＴＮ処理部２３５ＢでＦＥＣ処理が停止したにもかかわらず、送信側のライン側インタフェースカード２３０Ａで光信号の出力パワーが増幅していなければ、伝送品質が低下してしまうためである。
【００６９】
図７は、本発明の実施例の送信側のライン側インタフェースカード２３０Ａのバッファ部２４１に格納された信号の容量が閾値以上になった場合の送信側のライン側インタフェースカード２３０Ａの処理のフローチャートである。
【００７０】
図７に示す処理は、送信側のライン側インタフェースカード２３０ＡのＯＴＮ処理部２３５Ａのバッファ部監視制御部２４２が、バッファ部２４１に格納された信号の容量が閾値以上であると判定した場合に、送信側のライン側インタフェースカード２３０Ａによって実行される。
【００７１】
まず、バッファ部監視制御部２４２がバッファ部２４１に格納された信号の容量が閾値以上であると判定し、バッファ部監視制御部２４２は、閾値超過通知を制御部２３８Ａに出力する（７０１）。この処理は、図６に示すステップ６０１及び６０２の処理に相当する。
【００７２】
制御部２３８Ａは、閾値超過通知が入力された場合、光増幅部２３７Ａに出力パワー増幅指示を出力し、光増幅部２３７Ａは、出力パワー増幅指示が入力された場合、光信号の出力パワーを増幅する（７０２）。この処理は、図６に示すステップ６０３及び６０４の処理に相当する。
【００７３】
制御部２３８Ａは、光増幅部２３７Ａから光信号の出力パワーの値を含む出力パワー情報が入力された場合、光信号の出力パワーの値が適正な値であるか否かを判定する（７０３）。この処理は、図６に示すステップ６０５の処理に相当する。
【００７４】
ステップ７０３の処理で、光信号の出力パワーの値が適正な値であると判定された場合、制御部２３８Ａは、ＦＥＣ処理停止通知指示をＯＴＮ処理部２３５Ｂに出力し、ＯＴＮ処理部２３５Ｂは、ＯＴＮフレームのオーバーヘッド領域にＦＥＣ処理停止通知を挿入し、当該ＯＴＮフレームのＯＴＮ信号を受信側のライン側インタフェースカード２３０Ｂに送信する（７０４）。この処理は、図６に示すステップ６０６〜６０８の処理に相当する。
【００７５】
一方、ステップ７０３の処理で、光信号の出力パワーの値が適正な値でないと判定された場合、制御部２３８Ａは、ステップ７０２の処理に戻り、出力パワー増幅指示を光増幅部２３７Ａに再度出力する。
【００７６】
次に、ＯＴＮ処理部２３５Ａは、受信側のライン側インタフェースカード２３０ＢからＦＥＣ処理停止通知に対するＡＣＫ信号を受信したか否かを判定する（７０５）。
【００７７】
ステップ７０５の処理でＡＣＫ信号を受信したと判定された場合、ＯＴＮ処理部２３５Ａは、ＦＥＣ処理を停止し（７０６）、ＯＴＮフレームのＦＥＣ領域にバッファ部２４１に格納されたデータの挿入を開始し（７０７）、処理を終了する。ステップ７０６及び７０７の処理は、図６に示すステップ６１２及び６１３の処理に相当する。
【００７８】
一方、ステップ７０５の処理でＡＣＫ信号を受信していないと判定された場合、ＯＴＮ処理部２３５Ａは、ステップ７０４の処理に戻り、前回ＦＥＣ処理停止通知を受信側のライン側インタフェースカード２３０Ｂに送信してから所定時間経過した場合に再度ＦＥＣ処理停止通知を受信側のライン側インタフェースカード２３０Ｂに送信する。
【００７９】
図８は、本発明の実施例の受信側のライン側インタフェースカード２３０ＢがＦＥＣ処理を実行している間にＯＴＮ信号を受信した場合の処理のフローチャートである。
【００８０】
受信側のライン側インタフェースカード２３０ＢがＯＴＮ信号を受信すると、ＯＴＮ処理部２３５Ｂは、受信したＯＴＮ信号であるＯＴＮフレームのオーバーヘッド領域を解析する（８０１）。この処理は、図６に示す６０９の処理に相当する。
【００８１】
そして、ＯＴＮ処理部２３５Ｂは、ステップ８０１の処理の解析結果を参照し、受信したＯＴＮ信号のＯＴＮフレームがＦＥＣ処理停止通知を含むか否かを判定する（８０２）。
【００８２】
ステップ８０２の処理で、受信したＯＴＮ信号のＯＴＮフレームがＦＥＣ処理停止通知を含まないと判定された場合、ＯＴＮ処理部２３５Ｂは、ＦＥＣ処理を実行しながら信号処理を実行し（８０３）、処理を終了する。
【００８３】
一方、ステップ８０２の処理で、受信したＯＴＮ信号のＯＴＮフレームがＦＥＣ処理停止通知を含むと判定された場合、ＯＴＮ処理部２３５Ｂは、ＦＥＣ処理の実行を停止して、信号処理を実行し（８０４）、処理を終了する。
【００８４】
図９は、本発明の実施例のＯＴＮフレーム９００のフレーム構成の説明図である。
【００８５】
ＯＴＮフレーム９００は、オーバーヘッド領域９０１、ペイロード領域９０２、及びＦＥＣ領域９０３を含む。オーバーヘッド領域９０１には、管理用のデータが挿入される。ペイロード領域９０２には、ユーザデータ又はＯＡＭフレーム等のバッファ部２４１に格納された信号が挿入される。ＦＥＣ領域９０３には、誤り訂正符号が挿入される。
【００８６】
ＯＴＮフレーム９００は、４個のＲｏｗ１〜４から構成される。一つのＲｏｗは４０８０個のＣｏｌｕｍｎ１〜４０８０を有する。オーバーヘッド領域９０１は、Ｒｏｗ１〜４のＣｏｌｕｍｎ１〜１６に割り当てられる。ペイロード領域９０２は、Ｒｏｗ１〜４のＣｏｌｕｍｎ１７〜３８２４に割り当てられる。ＦＥＣ領域９０３は、Ｒｏｗ１〜４のＣｏｌｕｍｎ３８２５〜４０８０に割り当てられる。
【００８７】
オーバーヘッド領域９０１は、図９に示すように、Ｆｒａｍｅ  Ａｌｉｇｎｍｅｎｔ  Ｏｖｅｒｈｅａｄ領域、ＯＴＵｋ  ｏｖｅｒｈｅａｄ領域、及びＲＥＳ（リザーブ）領域の各種領域を有する。オーバーヘッド領域９０１のＲＥＳ領域は、Ｒｏｗ２のＣｏｌｕｍｎ１及び２に割り当てられる。本実施例のＦＥＣ領域には、図６及び図７で説明したＦＥＣ処理停止通知である旨の情報、及び図１０及び図１１で後述するＦＥＣ処理開始通知である旨の情報が挿入される。
【００８８】
なお、受信側のライン側インタフェースカード２３０ＢのＯＴＮ処理部２３５Ｂは、受信したＯＴＮ信号のオーバーヘッド領域９０１を解析して、ＲＥＳ領域に挿入された情報を参照することによって、ＦＥＣ処理停止通知であるか、ＦＥＣ処理開始通知であるかを特定する。
【００８９】
図１０は、本発明の送信側のライン側インタフェースカード２３０Ａのバッファ部２４１に格納された信号の容量が閾値未満となった場合の光伝送システムにおける処理のシーケンス図である。
【００９０】
バッファ部監視制御部２４２は、バッファ部２４１に格納された信号の容量が閾値未満であると判定した場合（１００１）、その旨を示す閾値未満通知を制御部２３８に出力する（１００２）。
【００９１】
制御部２３８Ａにバッファ部監視制御部２４２から閾値未満通知が入力された場合、制御部２３８Ａは、ＯＴＮフレームのＦＥＣ領域にバッファ部２４１に格納されたデータの挿入を停止する指示であるＦＥＣ領域ユーザデータ挿入停止指示をＯＴＮ処理部２３５Ａに出力する（１００３）。
【００９２】
ＯＴＮ処理部２３５Ａは、制御部２３８ＡからＦＥＣ領域ユーザデータ挿入停止指示が入力された場合、ＯＴＮフレームのＦＥＣ領域にバッファ部２４１に格納されたデータの挿入を停止する（１００４）。
【００９３】
次に、制御部２３８Ａは、ＦＥＣ領域ユーザデータ処理停止通知を受信側のライン側インタフェースカード２３０Ｂに送信する指示であるＦＥＣ領域ユーザデータ処理停止通知指示をＯＴＮ処理部２３５に出力する（１００５）。ＦＥＣ領域ユーザデータ処理通知は、受信側のライン側インタフェースカード２３０Ｂに、ＯＴＮフレームのＦＥＣ領域に挿入されたデータをユーザデータとして扱う処理（ユーザデータ処理）を停止させる通知である。
【００９４】
ＯＴＮ処理部２３５Ａは、制御部２３８ＡからＦＥＣ領域ユーザデータ処理通知指示が入力された場合、ＯＴＮフレームのオーバーヘッド領域のＲＥＳ領域にＦＥＣ領域ユーザデータ処理停止通知を挿入するように、ＯＴＮフレームのオーバーヘッド領域を編集する（１００６）。
【００９５】
そして、ＯＴＮ処理部２３５Ａは、ＦＥＣ領域ユーザデータ処理停止通知をオーバーヘッド領域に挿入したＯＴＮフレームのＯＴＮ信号を受信側のライン側インタフェースカード２３０Ｂに送信する（１００７）。
【００９６】
受信側のライン側インタフェースカード２３０Ｂがステップ１００７の処理で送信されたＯＴＮ信号を受信した場合、受信側のライン側インタフェースカード２３０ＢのＯＴＮ処理部２３５Ｂは、受信したＯＴＮ信号のＯＴＮフレームのオーバーヘッド領域を解析し（１００８）、受信したＯＴＮ信号がＦＥＣ領域ユーザデータ処理停止通知であると判断し、ＦＥＣ領域のユーザデータ処理を停止する（１００９）。
【００９７】
そして、ＯＴＮ処理部２３５Ｂは、ＦＥＣ領域のユーザデータ処理を停止した後、ＦＥＣ領域ユーザデータ処理停止通知に対するＡＣＫ信号をライン側インタフェースカード２３０Ａに送信する（１０１０）。
【００９８】
制御部２３８Ａは、ステップ１０１０の処理で送信されたＡＣＫ信号をライン側インタフェースカード２３０Ａが受信した場合、ＯＴＮ処理部２３５ＡでＦＥＣ領域に誤り訂正符号を挿入するＦＥＣ処理を開始する指示であるＦＥＣ処理開始指示をＯＴＮ処理部２３５Ａに出力する（１０１１）。
【００９９】
ＯＴＮ処理部２３５Ａは、制御部２３８ＡからＦＥＣ処理開始指示が入力された場合、ＯＴＮフレームのオーバーヘッド領域のＦＥＣ領域に誤り訂正符号を挿入するＦＥＣ処理を開始する（１０１２）。
【０１００】
制御部２３８Ａは、ステップ１０１１の処理でＦＥＣ処理開始指示をＯＴＮ処理部２３５Ａに出力した後、ＦＥＣ処理開始通知を受信側のライン側インタフェースカード２３０Ｂに送信する指示であるＦＥＣ処理開始通知指示をＯＴＮ処理部２３５Ａに出力する（１０１３）。
【０１０１】
ＯＴＮ処理部２３５Ａは、制御部２３８ＡからＦＥＣ処理開始通知指示が入力された場合、ＯＴＮフレームのオーバーヘッド領域のＲＥＳ領域にＦＥＣ処理開始通知を挿入するように、ＯＴＮフレームのオーバーヘッド領域を編集する（１０１４）。
【０１０２】
そして、ＯＴＮ処理部２３５Ａは、ＦＥＣ処理開始通知をオーバーヘッド領域に挿入したＯＴＮフレームのＯＴＮ信号を受信側のライン側インタフェースカード２３０Ｂに送信する（１０１５）。
【０１０３】
受信側のライン側インタフェースカード２３０Ｂがステップ１０１５の処理で送信されたＯＴＮ信号を受信した場合、受信側のライン側インタフェースカード２３０ＢのＯＴＮ処理部２３５Ｂは、受信したＯＴＮ信号のＯＴＮフレームのオーバーヘッド領域を解析し（１０１６）、受信したＯＴＮ信号がＦＥＣ処理開始通知であると判断し、ＯＴＮフレームのＦＥＣ領域に挿入された誤り訂正符号に基づいて、ＯＴＮ信号にエラーがあるかを検出し、エラーが検出された場合にはＯＴＮ信号を訂正するＦＥＣ処理を開始する（１０１７）。
【０１０４】
そして、ＯＴＮ処理部２３５Ｂは、ＦＥＣ処理を開始した後、ＦＥＣ処理開始通知に対するＡＣＫ信号をライン側インタフェースカード２３０Ａに送信する（１０１８）。
【０１０５】
制御部２３８Ａは、ステップ１０１８の処理で送信されたＡＣＫ信号をライン側インタフェースカード２３０Ａが受信した場合、光増幅部２３７Ａが増幅していた光信号の出力パワーを減少させる指示である出力パワー低下指示を光増幅部２３７Ａに出力する（１０１９）。
【０１０６】
光増幅部２３７Ａは、制御部２３８Ａから出力パワー低下指示が入力された場合、増幅させていた光信号の出力パワーを減少させる（１０２０）。具体的には、光増幅部２３７Ａは、光信号の出力パワーを増加させる前の値に減少させる。
【０１０７】
以上によって、送信側のライン側インタフェースカード２３０Ａのバッファ部２４１に格納された信号の容量が閾値以上となり、光増幅部２３７Ａが光信号の出力パワーを増幅させ、ＦＥＣ領域にバッファ部２４１に格納されたデータを挿入するが、送信側のライン側インタフェースカード２３０Ａのバッファ部２４１に格納された信号の容量が閾値未満となれば、ＦＥＣ領域に誤り訂正符号を挿入し、ＦＥＣ処理を再開し、光増幅部２３７Ａが光信号の出力パワーを減少させる。これによって、光増幅部２３７Ａは、常に光信号の出力パワーを増幅させている状態を継続させるのではなく、一時的に光信号の出力パワーを増幅させるだけとなり、光伝送装置２００の消費電力の増加を防止することができる。
【０１０８】
また、図１０では、受信側のライン側インタフェースカード２３０ＢにＦＥＣ処理を開始させる場合、送信側のライン側インタフェースカード２３０Ａは、受信側のライン側インタフェースカード２３０ＢにＦＥＣ領域のユーザデータ処理を停止させてから、ＦＥＣ処理を開始させる例について説明した。受信側のライン側インタフェースカード２３０Ｂが、ステップ１０１５の処理で送信されたＦＥＣ処理開始通知を受信すると、ＦＥＣ処理を開始する前にＦＥＣ領域のユーザデータ処理を停止する場合には、送信側のライン側インタフェースカード２３０ＡによるＦＥＣ領域ユーザ処理停止通知の送信は不要となる。具体的には、ステップ１００５〜１０１０の処理は省略されてもよい。
【０１０９】
なお、制御部２３８Ａは、受信側のライン側インタフェースカード２３０ＢでＦＥＣ処理が開始されてから、光増幅部２３７Ａが光信号の出力パワーを減少させる。これによって、ＦＥＣ処理が開始されてから光信号の出力パワーの増幅を停止させることができるため、伝送品質が低下することを防止できる。
【０１１０】
また、本実施例では、ステップ１００９及び１０１７の処理で、受信側のライン側インタフェースカード２３０ＢがＦＥＣ領域のユーザデータ処理を挺しした場合、ＦＥＣ処理を開始した場合、ＡＣＫ信号を送信するとしたが、ＡＣＫ信号を送信しなくてもよい。この場合、送信側のＯＴＮ処理部２３５Ａは、ステップ１００７の処理でＦＥＣ領域ユーザデータ処理停止通知を受信側のライン側インタフェースカード２３０Ｂに送信した直後に、ステップ１０１２の処理でＦＥＣ処理の実行を開始する。また、送信側のＯＴＮ処理部２３５Ａは、ステップ１０１５の処理でＦＥＣ処理開始通知を受信側のライン側インタフェースカード２３０Ｂに送信した直後に、ステップ１０２０の処理で光増幅部２３７による光信号の出力パワーを減少させる。
【０１１１】
図１１は、本発明の実施例の送信側のライン側インタフェースカード２３０Ａのバッファ部２４１に格納された信号の容量が閾値未満になった場合の送信側のライン側インタフェースカード２３０Ａの処理のフローチャートである。
【０１１２】
図１１に示す処理は、送信側のライン側インタフェースカード２３０ＡのＯＴＮ処理部２３５Ａのバッファ部監視制御部２４２が、バッファ部２４１に格納された信号の容量が閾値未満であると判定した場合に、送信側のライン側インタフェースカード２３０Ａによって実行される。
【０１１３】
まず、バッファ部監視制御部２４２がバッファ部２４１に格納された信号の容量が閾値未満であると判定し、バッファ部監視制御部２４２は、閾値未満通知を制御部２３８Ａに出力する（１１０１）。この処理は、図１０に示すステップ１００１及び１００２の処理に相当する。
【０１１４】
制御部２３８Ａは、バッファ部監視制御部２４２から閾値未満通知が入力された場合、ＦＥＣ領域ユーザデータ挿入停止指示をＯＴＮ処理部２３５Ａに出力し、ＯＴＮ処理部２３５Ａは、ＦＥＣ領域ユーザデータ挿入停止指示が入力された場合、ＯＴＮフレームのＦＥＣ領域にバッファ部２４１に格納されたデータの挿入を停止する（１１０２）。この処理は、図１０に示すステップ１００３及び１００４の処理に相当する。
【０１１５】
次に、制御部２３８Ａは、ＦＥＣ領域ユーザデータ処理停止通知指示をＯＴＮ処理部２３５Ａに出力し、ＯＴＮ処理部２３５Ａは、ＦＥＣ領域ユーザデータ処理停止通知指示が入力された場合、ＯＴＮフレームのオーバーヘッド領域のＲＥＳ領域にＦＥＣ領域ユーザデータ処理停止通知を挿入するように、ＯＴＮフレームのオーバーヘッド領域を編集し、当該ＯＴＮフレームを受信側のライン側インタフェースカード２３０Ｂに送信する（１１０３）。この処理は、図１０に示すステップ１００５〜１００７の処理に相当する。
【０１１６】
制御部２３８Ａは、受信側のライン側インタフェースカード２３０ＢからＦＥＣ領域ユーザデータ処理停止通知に対するＡＣＫを受信した場合、ＦＥＣ処理開始指示をＯＴＮ処理部２３５Ａに出力し、ＯＴＮ処理部２３５Ａは、ＦＥＣ処理開始指示が入力されると、ＯＴＮフレームのオーバーヘッド領域のＦＥＣ領域に誤り訂正符号を挿入するＦＥＣ処理を開始する（１１０４）。この処理は、図１０に示すステップ１０１１及び１０１２の処理に相当する。
【０１１７】
次に、制御部２３８Ａは、ＦＥＣ処理開始通知指示をＯＴＮ処理部２３５Ａに出力し、ＯＴＮ処理部２３５Ａは、ＦＥＣ処理開始通知指示が入力された場合、ＯＴＮフレームのオーバーヘッド領域のＲＥＳ領域にＦＥＣ処理開始通知を挿入するように、ＯＴＮフレームのオーバーヘッド領域を編集し、当該ＯＴＮフレームを受信側のライン側インタフェースカード２３０Ｂに送信する（１１０５）。
【０１１８】
制御部２３８Ａは、受信側のライン側インタフェースカード２３０ＢからＦＥＣ処理開始通知に対するＡＣＫを受信した場合、出力パワー低下指示を光増幅部２３７Ａに出力し、光増幅部２３７Ａは、制御部２３８Ａから出力パワー低下指示が入力された場合、増幅させていた光信号の出力パワーを元に戻し（１１０６）、処理を終了する。
【０１１９】
図１２は、本発明の実施例の受信側のライン側インタフェースカード２３０ＢがＦＥＣ処理の実行を停止している間にＯＴＮ信号を受信した場合の処理のフローチャートである。
【０１２０】
受信側のライン側インタフェースカード２３０ＢがＯＴＮ信号を受信すると、ＯＴＮ処理部２３５Ｂは、受信したＯＴＮ信号であるＯＴＮフレームのオーバーヘッド領域を解析する（１２０１）。この処理は、図１０に示す１００８及び１０１６の処理に相当する。
【０１２１】
そして、ＯＴＮ処理部２３５Ｂは、ステップ１２０１の処理の解析結果を参照し、受信したＯＴＮ信号のＯＴＮフレームがＦＥＣ領域ユーザデータ処理停止通知を含むか否かを判定する（１２０２）。
【０１２２】
ステップ１２０２の処理で、受信したＯＴＮ信号のＯＴＮフレームがＦＥＣ領域ユーザデータ処理停止通知を含まないと判定された場合、ＯＴＮ処理部２３５Ｂは、ＯＴＮフレームのＦＥＣ領域のユーザデータ処理を継続する（１２０３）。
【０１２３】
一方、ステップ１２０２の処理で、受信したＯＴＮ信号のＯＴＮフレームがＦＥＣ領域ユーザデータ処理停止通知を含むと判定された場合、ＯＴＮ処理部２３５Ｂは、ＯＴＮフレームのＦＥＣ領域のユーザデータ処理の実行を停止する（１２０４）。この処理は、図１０に示す１００９の処理に相当する。
【０１２４】
ステップ１２０３又は１３０４の処理の実行後、ＯＴＮ処理部２３５Ｂは、ステップ１２０１の処理の解析結果を参照し、受信したＯＴＮ信号のＯＴＮフレームがＦＥＣ処理開始通知を含むか否かを判定する（１２０５）。
【０１２５】
ステップ１２０５の処理で、受信したＯＴＮ信号のＯＴＮフレームがＦＥＣ処理開始通知を含むと判定された場合、ＯＴＮ処理部２３５Ｂは、停止していたＦＥＣ処理を再開し（１２０６）、処理を終了する。なお、受信側のライン側インタフェースカード２３０Ｂで実行されるＦＥＣ処理は、受信したＯＴＮフレームのＦＥＣ領域に挿入された誤り訂正符号に基づいて、ＯＴＮフレームの誤りを訂正する処理である。
【０１２６】
一方、ステップ１２０５の処理で、受信したＯＴＮ信号のＯＴＮフレームがＦＥＣ処理開始通知を含むと判定された場合、ＯＴＮ処理部２３５Ｂは、ＦＥＣ処理を実行せずに受信したＯＴＮフレームの信号処理を実行し（１２０６）、処理を終了する。
【０１２７】
以上によって、本実施例では、送信側の光伝送装置２００のバッファ部２４１に格納された信号の容量が閾値以上となった場合、送信側の光伝送装置２００は、光増幅部２３７による光信号の出力パワーを増幅し、受信側の光伝送装置２００のＦＥＣ処理を停止し、バッファ部２４１に格納されたデータをＯＴＮフレームのＦＥＣ領域に挿入する。これによって、伝送速度を向上させつつ、伝送品質の低下を防止することができる。
【０１２８】
また、本実施例では、送信側の光伝送装置２００のバッファ部２４１に格納された信号の容量が閾値未満となった場合、送信側の光伝送装置２００は、ＯＴＮフレームのＦＥＣ領域に誤り訂正符号を挿入し、受信側の光伝送装置２００にＦＥＣ処理を再開させ、光増幅部２３７の光信号の出力パワーの増幅を減少させる。これによって、常に光信号の出力パワーを増幅させている状態を継続させるのではなく、一時的に光信号の出力パワーを増幅させるだけとなり、光伝送装置２００の消費電力の増加を防止することができる。
【０１２９】
また、本実施例では、送信側の光伝送装置２００のバッファ部２４１に格納された信号の容量が閾値未満となった場合、光増幅部２３７による光信号の出力パワーの増幅を減少させる処理を、受信側の光伝送装置２００がＦＥＣ処理の実行を開始した後に実行する。また、送信側の光伝送装置２００のバッファ部２４１に格納された信号の容量が閾値以上となった場合、光増幅部２３７による光信号の出力パワーを増幅させる処理を、受信側の光伝送装置２００がＦＥＣ処理の実行を停止する前に実行する。これによって、ＦＥＣ処理が実行されない期間と光信号の出力パワーが低下する期間とが重複しないので、伝送品質の低下を防止することができる。
【０１３０】
また、本実施例では、ＯＴＮフレームのオーバーヘッド領域のリザーブ領域に、ＦＥＣ処理停止通知、ＦＥＣ領域ユーザデータ処理停止通知及びＦＥＣ処理開始通知を含める。これによって既存のＯＴＮフレームを利用して、受信側の光伝送装置２００に各種通知を通知できる。
【０１３１】
さらに、本実施例では、送信側の光伝送装置２００のバッファ部２４１に格納された信号の容量が閾値以上となった場合にＦＥＣ領域に格納されるデータは、保守運用管理用のＯＡＭフレーム又はユーザ装置１００から送信されたユーザデータである。
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることが可能である。
【０１３２】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、又は、ＩＣカード、ＳＤカード、ＤＶＤ等の記録媒体に置くことができる。
【符号の説明】
【０１３３】
１００    ユーザ装置
２００    光伝送装置
２１０    クライアント側インタフェースカード
２２０    スイッチカード
２３０    ライン側インタフェースカード
２３１    スイッチインタフェース部
２３２    ＭＰＬＳ処理部
２３５    ＯＴＮ処理部
２３６    光モジュール
２３７    光増幅部
２３８    制御部
２４１    バッファ部
２４２    バッファ部監視制御部
２４３    主信号処理部
２４４    オーバーヘッド処理部
２４５    ＦＥＣ処理部
３００    伝送路
【図１】
2014212478.tif 000003
【図２】
2014212478.tif 000004
【図３】
2014212478.tif 000005
【図４】
2014212478.tif 000006
【図５】
2014212478.tif 000007
【図６】
2014212478.tif 000008
【図７】
2014212478.tif 000009
【図８】
2014212478.tif 000010
【図９】
2014212478.tif 000011
【図１０】
2014212478.tif 000012
【図１１】
2014212478.tif 000013
【図１２】
2014212478.tif 000014